(57)【要約】【課題】消費電力を抑えつつ、外部機器から提供される情報の変化を識別しやすくする。【解決手段】情報判定部４０は、表示部６０が表示している情報である表示情報と異なる情報であって、かつ、当該表示部６０が表示する必要がある情報である表示対象情報ＸＢａが外部機器２００から提供されたか否かを判定する。制御部２５は、出力対象のコンテンツが映像を含まず、かつ、表示対象情報ＸＢａが提供された場合、表示部５０の消費電力を低減させるための消費電力低減処理、および、外部機器情報の表示態様を変化させるための表示態様変化処理を行う。【選択図】図２
2016167730.tif 000002
【特許請求の範囲】
【請求項１】
情報を提供する外部機器と通信するテレビジョン受像機であって、
前記テレビジョン受像機は、映像および音声の両方または一方を含むコンテンツを出力する機能を有し、
前記テレビジョン受像機は、
前記コンテンツに映像が含まれる場合、当該映像を表示する第１表示部と、
前記外部機器が提供する情報を表示する第２表示部と、
前記第２表示部が表示している情報である表示情報と異なる情報であって、かつ、当該第２表示部が表示する必要がある情報である表示対象情報が前記外部機器から提供されたか否かを判定する情報判定部と、
出力対象の前記コンテンツが映像を含まず、かつ、前記表示対象情報が提供された場合、（ａ１）前記第１表示部の消費電力が、当該第１表示部が映像を表示するときにおける当該第１表示部の基準となる消費電力より小さくなるよう当該第１表示部を制御する処理、および、（ａ２）前記表示情報の表示態様と異なる表示態様で前記表示対象情報を表示するように、前記第２表示部を制御する処理を行う制御部と、を備える
テレビジョン受像機。
【請求項２】
前記第２表示部は、前記表示情報が示す色と異なる色で表現される前記表示対象情報を表示する
請求項１に記載のテレビジョン受像機。
【請求項３】
前記第２表示部は、前記表示情報の表示のためのコントラストと異なるコントラストで表現される前記表示対象情報を表示する
請求項１に記載のテレビジョン受像機。
【発明の詳細な説明】
【技術分野】
【０００１】
本発明は、外部機器からの情報を表示可能なテレビジョン受像機に関する。
【背景技術】
【０００２】
テレビジョン受像機において、消費電力を抑える様々な技術が存在する。特許文献１では、消費電力を抑えるために、必要に応じて、バックライトを制御する技術（以下、「関連技術Ａ」という）が開示されている。具体的には、関連技術Ａでは、映像を含まず、音声のみが含まれるコンテンツを再生する場合、バックライトを消灯させる処理、または、バックライトが出射する光の輝度を減らす処理を行うことにより、テレビジョン受像機の消費電力を抑える。以下、本明細書におけるコンテンツは、映像および音声の両方または一方を含むものとする。
【０００３】
また、特許文献２では、消費電力を抑えるために、必要に応じて、バックライトを消灯する技術（以下、「関連技術Ｂ」という）が開示されている。具体的には、関連技術Ｂでは、映像を含まず、音声のみが含まれるコンテンツを再生する場合、バックライトを消灯させる。
【先行技術文献】
【特許文献】
【０００４】
【特許文献１】特開２００７−１６６３０１号公報（段落００４４）
【特許文献２】特開昭６４−０３０３７７号公報
【発明の概要】
【発明が解決しようとする課題】
【０００５】
近年では、ネットワーク等を利用して、各種の情報を提供する外部機器と通信するテレビジョン受像機（以下、「表示装置Ｎ」ともいう）も増えつつある。このような表示装置Ｎにおいても、消費電力を抑えることが要求されている。また、表示装置Ｎが、外部機器から提供される情報を表示している際に、当該情報と異なる情報が、外部機器から提供された場合、ユーザが当該異なる情報に気づきやすくすることも求められる。
【０００６】
本発明は、このような問題を解決するためになされたものであり、消費電力を抑えつつ、外部機器から提供される情報の変化を識別しやすくすることが可能なテレビジョン受像機を提供することを目的とする。
【課題を解決するための手段】
【０００７】
上記目的を達成するために、本発明の一態様に係るテレビジョン受像機は、情報を提供する外部機器と通信する。前記テレビジョン受像機は、映像および音声の両方または一方を含むコンテンツを出力する機能を有し、前記テレビジョン受像機は、前記コンテンツに映像が含まれる場合、当該映像を表示する第１表示部と、前記外部機器が提供する情報を表示する第２表示部と、前記第２表示部が表示している情報である表示情報と異なる情報であって、かつ、当該第２表示部が表示する必要がある情報である表示対象情報が前記外部機器から提供されたか否かを判定する情報判定部と、出力対象の前記コンテンツが映像を含まず、かつ、前記表示対象情報が提供された場合、（ａ１）前記第１表示部の消費電力が、当該第１表示部が映像を表示するときにおける当該第１表示部の基準となる消費電力より小さくなるよう当該第１表示部を制御する処理、および、（ａ２）前記表示情報の表示態様と異なる表示態様で前記表示対象情報を表示するように、前記第２表示部を制御する処理を行う制御部と、を備える。
【発明の効果】
【０００８】
本発明によれば、情報判定部は、前記第２表示部が表示している情報である表示情報と異なる情報であって、かつ、当該第２表示部が表示する必要がある情報である表示対象情報が前記外部機器から提供されたか否かを判定する。制御部は、出力対象の前記コンテンツが映像を含まず、かつ、前記表示対象情報が提供された場合、（ａ１）前記第１表示部の消費電力が、当該第１表示部が映像を表示するときにおける当該第１表示部の基準となる消費電力より小さくなるよう当該第１表示部を制御する処理、および、（ａ２）前記表示情報の表示態様と異なる表示態様で前記表示対象情報を表示するように、前記第２表示部を制御する処理を行う。
【０００９】
これにより、消費電力を抑えつつ、外部機器から提供される情報の変化を識別しやすくすることができる。
【図面の簡単な説明】
【００１０】
【図１】本発明の実施の形態１に係るテレビジョン受像機の外観を示す図である。
【図２】本発明の実施の形態１に係るテレビジョン受像機の構成を示すブロック図である。
【図３】本発明の実施の形態１に係る情報表示制御処理のフローチャートである。
【図４】情報の表示態様の一例を示す図である。
【図５】テレビジョン受像機のハードウエア構成図である。
【発明を実施するための形態】
【００１１】
以下、図面を参照しつつ、本発明の実施の形態について説明する。以下の説明では、同一の構成要素には同一の符号を付してある。それらの名称および機能も同じである。したがって、それらについての詳細な説明を省略する場合がある。
【００１２】
＜実施の形態１＞
以下においては、コンテンツは、映像および音声の両方または一方を含むものとする。図１は、本発明の実施の形態１に係るテレビジョン受像機１００の外観を示す図である。テレビジョン受像機１００は、詳細は後述するが、映像および音声の両方または一方を含むコンテンツを出力（再生）する機能を有する。なお、図１には、説明のために、テレビジョン受像機１００に含まれない外部機器２００も示される。
【００１３】
図２は、本発明の実施の形態１に係るテレビジョン受像機１００の構成を示すブロック図である。なお、図２には、説明のために、テレビジョン受像機１００に含まれない外部機器２００も示される。
【００１４】
外部機器２００は、各種の情報を提供する装置である。以下においては、外部機器２００が提供する情報を、「外部機器情報」ともいう。すなわち、外部機器２００は、外部機器情報を提供する。
【００１５】
外部機器２００は、例えば、音楽プレーヤーである。この場合、外部機器情報は、例えば、曲名、アーティスト名、音声トラック番号等である。また、外部機器情報は、電源オン情報、電源オフ情報、消費電力量情報等であってもよい。電源オン情報は、外部機器２００の電源がオンであることを示す情報である。電源オフ情報は、外部機器２００の電源がオフであることを示す情報である。消費電力量情報は、外部機器２００の消費電力量を示す情報である。また、外部機器情報は、音声を再生している合計時間（再生時間）、現在時刻等であってもよい。
【００１６】
また、外部機器情報は、外部機器２００に異常が発生した旨を示す情報（機器異常情報）であってもよい。また、外部機器情報は、コンテンツの再生が終了したことを報知するための情報（再生終了情報）であってもよい。なお、外部機器情報は、上記情報に限定されず、他の情報であってもよい。
【００１７】
また、外部機器２００は、音楽プレーヤーに限定されず、情報を提供する機能を有する装置であれば、他の装置であってもよい。外部機器２００は、例えば、通信機能を有する給湯器であってもよい。
【００１８】
テレビジョン受像機１００は、ネットワークＮＷ１を介して、外部機器２００と通信する。外部機器２００は、必要に応じて、外部機器情報を、テレビジョン受像機１００へ送信する。
【００１９】
テレビジョン受像機１００は、ディスク装置７０を内蔵する。ディスク装置７０は、記録媒体に記録されたコンテンツを再生する機能を有する。当該記録媒体は、たとえば、ＣＤ（Compact Disk）、ＤＶＤ（Digital Versatile Disk）およびＢＤ（Blu-ray Disc（登録商標））などの光ディスク、または、ハードディスクなどの磁気ディスクである。また、ディスク装置７０は、記録媒体に、コンテンツを記録させる機能を有してもよい。
【００２０】
以下においては、放送局が提供するコンテンツを、「放送コンテンツ」ともいう。
【００２１】
テレビジョン受像機１００は、たとえば、ユーザによる操作（指示）に従って、当該ユーザが指定した放送局の放送コンテンツを記録媒体に記録させるための処理を、ディスク装置７０に実行させる。これにより、ユーザは、都合のよいときに、記録媒体に記録された放送コンテンツを、ディスク装置７０に再生させることによって、当該放送コンテンツを視聴することができる。以下においては、ディスク装置７０が再生しているコンテンツを、「再生コンテンツ」ともいう。
【００２２】
テレビジョン受像機１００は、さらに、チューナ１１と、復調部１２と、ストリームバス１３と、ＡＶ（Audio Visual）デコーダ１５とを備える。
【００２３】
チューナ１１には、アンテナ９が接続されている。チューナ１１は、アンテナ９を介して、例えば、放送局から送信されるデジタル放送信号を受信する。チューナ１１は、受信したデジタル放送信号から特定の周波数の信号を抽出する。チューナ１１が抽出の対象とする周波数は、デジタル放送信号に含まれる複数のチャンネルのいずれかのチャンネルの周波数である。チューナ１１は、抽出した特定の周波数の信号を復調部１２へ送信する。
【００２４】
復調部１２は、チューナ１１から受信する信号を復調する。そして、復調部１２は、復調した当該信号が示す放送コンテンツを、ストリームバス１３を介して、ＡＶデコーダ１５へ送信する。
【００２５】
また、ディスク装置７０が再生した再生コンテンツは、ストリームバス１３を介して、ＡＶデコーダ１５へ送信される。
【００２６】
前述したように、テレビジョン受像機１００は、ネットワークＮＷ１を介して、外部機器２００と通信する。テレビジョン受像機１００が外部機器２００と通信する方式は、有線通信および無線通信のいずれであってもよい。
【００２７】
テレビジョン受像機１００は、さらに、ネットワークデコード部１４と、表示情報判定部１６と、コンテンツ判定部１７と、情報処理部１８と、情報判定部４０と、表示部５０，６０と、情報合成部２０と、音声処理部２１Ａと、制御部２５と、映像処理部２１Ｖａと、表示処理部２１Ｖｂと、音声アンプ２８、スピーカ３０とを備える。
【００２８】
制御部２５は、詳細は後述するが、テレビジョン受像機１００の各部を制御する。
【００２９】
表示情報判定部１６、コンテンツ判定部１７、情報処理部１８、情報判定部４０および制御部２５の全てまたは一部は、ハードウエアの電気回路で構成される信号処理回路で構成される。なお、表示情報判定部１６、コンテンツ判定部１７、情報処理部１８、情報判定部４０および制御部２５の全てまたは一部は、ＣＰＵ（Central Processing Unit）等のプロセッサにより実行される、プログラムのモジュールであってもよい。
【００３０】
表示部５０は、出力対象のコンテンツに映像が含まれる場合、当該映像を表示する。表示部５０は、例えば、液晶表示パネルである。具体的には、表示部５０は、表示デバイス５１と、バックライト５２とを含む。バックライト５２は、光を出射する。表示デバイス５１は、バックライト５２が出射する光を利用して、映像を表示する。
【００３１】
表示部６０は、文字列から構成される情報を表示する。表示部６０は、表示部５０よりも消費電力の少ない装置である。具体的には、表示部６０が情報を表示しているときの当該表示部６０の消費電力は、表示部５０が映像を表示しているときの当該表示部５０の消費電力より少ない。
【００３２】
表示部６０は、例えば、文字列から構成される情報（例えば、外部機器情報）を表示するために必要最低限の構成を有する装置である。なお、表示部６０は、複数の色を用いて情報を表示する機能を有する。
【００３３】
表示部６０は、例えば、セグメント型の液晶表示パネルである。なお、表示部６０は、セグメント型の液晶表示パネルに限定されず、他の装置であってもよい。表示部６０は、例えば、ドットマトリック型の半透過液晶表示パネルである。
【００３４】
表示部６０は、表示デバイス６１と、バックライト６２とを含む。バックライト６２は、光を出射する。表示デバイス６１は、バックライト６２が出射する光を利用して、情報を表示する。
【００３５】
以下においては、表示部５０が映像を表示するときにおける表示部５０の基準となる消費電力を、「消費電力ＮＰ」ともいう。消費電力ＮＰは、例えば、表示部５０が、十分に明るい映像を表示するために必要な消費電力である。消費電力ＮＰは、予め規定された基準となる消費電力である。
【００３６】
テレビジョン受像機１００は、動作モードとして、通常モードと、低消費電力モードと、自動低消費電力モードとを有する。通常モードは、表示部５０が映像を表示する際、当該表示部５０が、消費電力ＮＰで動作しているモードである。低消費電力モードは、表示部５０の消費電力を低減した状態（消費電力低減状態）におけるモードである。以下においては、低消費電力モードのテレビジョン受像機１００における表示部５０の消費電力を、「低消費電力ＬＰ」ともいう。
【００３７】
なお、通常モードのテレビジョン受像機１００が、映像を含まない出力対象コンテンツを処理する場合、テレビジョン受像機１００の動作モードは、通常モードから低消費電力モードに変更される。
【００３８】
自動低消費電力モードは、通常モードのテレビジョン受像機１００が、映像を含まない出力対象コンテンツを処理する場合、テレビジョン受像機１００の動作モードを、通常モードから低消費電力モードに移行させるためのモードである。
【００３９】
テレビジョン受像機１００の各種の動作モードは、当該テレビジョン受像機１００の初期設定、ユーザにより選択された設定等により、設定される。
【００４０】
ネットワークデコード部１４は、外部機器２００が、必要に応じて送信する外部機器情報を受信する。ネットワークデコード部１４は、必要に応じて、外部機器情報をデコードする。ネットワークデコード部１４は、外部機器情報を受信する毎に、当該外部機器情報を、ストリームバス１３を介して、ＡＶデコーダ１５へ送信する。また、ネットワークデコード部１４は、外部機器情報を受信する毎に、当該外部機器情報を、表示情報判定部１６、情報処理部１８および情報判定部４０へも送信する。
【００４１】
以下においては、表示部５０が表示する必要がある外部機器情報を、「表示対象情報Ｘａ」ともいう。また、以下においては、表示部６０が表示する必要がある外部機器情報を、「表示対象情報Ｘｂ」ともいう。また、以下においては、表示部５０および表示部６０の両方が表示する必要がある外部機器情報を、「表示対象情報Ｘａｂ」ともいう。
【００４２】
表示情報判定部１６は、外部機器情報を受信する毎に、当該外部機器情報が、表示対象情報Ｘａ、表示対象情報Ｘｂおよび表示対象情報Ｘａｂのいずれであるか判定する。表示情報判定部１６は、外部機器情報が表示対象情報Ｘａである場合、判定結果Ｚ１ａを、制御部２５および情報処理部１８へ送信する。判定結果Ｚ１ａは、外部機器情報が表示対象情報Ｘａであることを示す。
【００４３】
また、表示情報判定部１６は、外部機器情報が表示対象情報Ｘｂである場合、判定結果Ｚ１ｂを、制御部２５および情報処理部１８へ送信する。判定結果Ｚ１ｂは、外部機器情報が表示対象情報Ｘｂであることを示す。
【００４４】
また、表示情報判定部１６は、外部機器情報が表示対象情報Ｘａｂである場合、判定結果Ｚ１ａｂを、制御部２５および情報処理部１８へ送信する。判定結果Ｚ１ａｂは、外部機器情報が表示対象情報Ｘａｂであることを示す。以下においては、判定結果Ｚ１ａ，Ｚ１ｂ，Ｚ１ａｂの各々を、総括的に、「判定結果Ｚ１」ともいう。
【００４５】
以下においては、表示部６０が表示するための表示対象情報Ｘｂおよび表示対象情報Ｘａｂの各々を、総括的に、「表示対象情報ＸＢ」ともいう。また、以下においては、表示部６０が表示している情報を、「表示情報」ともいう。表示情報は、表示対象情報ＸＢである。
【００４６】
また、以下においては、表示部６０が表示中の表示情報（表示対象情報ＸＢ）が示す内容と異なる内容を示す表示対象情報ＸＢを、「表示対象情報ＸＢａ」ともいう。
【００４７】
すなわち、表示対象情報ＸＢａが示す内容と、表示部６０が表示中の表示情報（表示対象情報ＸＢ）が示す内容とは異なる。つまり、表示対象情報ＸＢａは、表示部６０が表示している最新の表示情報（表示対象情報ＸＢ）と異なる情報であって、かつ、当該表示部６０が表示する必要がある情報である。以下においては、表示部６０が表示する必要がある情報を、「表示必要情報ＪＢ」ともいう。
【００４８】
情報判定部４０は、ネットワークデコード部１４から外部機器情報を受信する毎に、表示部６０が表示中の表示情報（表示対象情報ＸＢ）と異なる表示対象情報ＸＢａが外部機器２００から提供されたか否かを判定する。具体的には、情報判定部４０は、ネットワークデコード部１４から外部機器情報を受信する毎に、受信した最新の外部機器情報が表示対象情報ＸＢａであるか否かを判定する。情報判定部４０は、最新の外部機器情報の判定を行う毎に、判定結果ＺＢａまたは判定結果ＺＢｎを、制御部２５および情報処理部１８へ送信する。以下においては、判定結果ＺＢａ，ＺＢｎの各々を、総括的に、「判定結果ＺＢ」ともいう。
【００４９】
判定結果ＺＢａは、受信した最新の外部機器情報が表示対象情報ＸＢａであることを示す。具体的には、判定結果ＺＢａは、外部機器２００が表示対象情報ＸＢａをテレビジョン受像機１００に対し提供した旨を示す。すなわち、判定結果ＺＢａは、最新の外部機器情報が、表示部６０が表示中の表示対象情報ＸＢ（外部機器情報）が示す内容と異なる内容を示す表示対象情報ＸＢａである旨を示す。言い換えれば、判定結果ＺＢａは、最新の外部機器情報が示す内容が、表示部６０が表示中の最新の表示対象情報ＸＢ（外部機器情報）が示す内容と異なる旨を示す。
【００５０】
したがって、最新の外部機器情報が表示対象情報ＸＢａである状況とは、外部機器２００が表示対象情報ＸＢａをテレビジョン受像機１００に対し提供した状況である。すなわち、最新の外部機器情報が表示対象情報ＸＢａである状況とは、当該最新の外部機器情報が示す内容が、表示部６０が表示中の最新の表示対象情報ＸＢ（外部機器情報）が示す内容と異なる状況である。
【００５１】
判定結果ＺＢｎは、情報判定部４０が受信した最新の外部機器情報が表示対象情報ＸＢａでないことを示す。
【００５２】
ＡＶデコーダ１５は、ディスク装置７０から前述の再生コンテンツを受信する場合がある。また、ＡＶデコーダ１５は、復調部１２から前述の放送コンテンツを受信する場合がある。また、ＡＶデコーダ１５は、ネットワークデコード部１４から外部機器情報を受信する場合がある。
【００５３】
以下においては、テレビジョン受像機１００が出力する対象となるコンテンツを、「出力対象コンテンツ」ともいう。出力対象コンテンツは、たとえば、再生コンテンツ、放送コンテンツ等である。出力対象コンテンツは、映像および音声の両方または一方を含む。また、出力対象コンテンツは、付加情報を含む場合がある。
【００５４】
付加情報は、例えば、曲名、アーティスト名、音声トラック番号等である。また、付加情報は、前述の電源オン情報、電源オフ情報、消費電力量情報等であってもよい。また、付加情報は、音声を再生している合計時間（再生時間）、現在時刻等であってもよい。
【００５５】
ＡＶデコーダ１５は、出力対象コンテンツをデコードする。具体的には、ＡＶデコーダ１５は、ビデオデコーダ１５Ｖと、オーディオデコーダ１５Ａと、映像生成部１５Ｇとを含む。
【００５６】
ビデオデコーダ１５Ｖは、出力対象コンテンツに映像が含まれる場合、当該出力対象コンテンツをデコードする。すなわち、ビデオデコーダ１５Ｖは、当該出力対象コンテンツから当該映像を抽出する。ビデオデコーダ１５Ｖは、当該映像を、情報合成部２０へ送信する。
【００５７】
オーディオデコーダ１５Ａは、出力対象コンテンツに音声が含まれる場合、出力対象コンテンツをデコードする。すなわち、オーディオデコーダ１５Ａは、当該出力対象コンテンツから当該音声を抽出する。オーディオデコーダ１５Ａは、当該音声を、音声処理部２１Ａへ送信する。
【００５８】
映像生成部１５Ｇは、出力対象コンテンツに映像が含まれない場合、仮映像を生成する。仮映像は、表示部５０に表示させるための映像である。仮映像は、例えば、１つの色（例えば、青）で構成されるベタ映像である。映像生成部１５Ｇは、当該仮映像を、表示部５０が表示するための映像として、情報合成部２０へ送信する。
【００５９】
また、ＡＶデコーダ１５は、出力対象コンテンツに付加情報が含まれている場合、当該付加情報を、情報処理部１８へ送信する。
【００６０】
また、ＡＶデコーダ１５は、出力対象コンテンツのデコードが必要な場合、デコードした出力対象コンテンツを、コンテンツ判定部１７へ送信する。なお、ＡＶデコーダ１５は、出力対象コンテンツのデコードが不要な場合、当該出力対象コンテンツを、コンテンツ判定部１７へ送信する。
【００６１】
コンテンツ判定部１７は、ＡＶデコーダ１５から受信した出力対象コンテンツに基づき、出力対象コンテンツに映像および音声の両方が含まれていること、または、出力対象コンテンツに映像および音声の一方が含まれていることを判定する。
【００６２】
コンテンツ判定部１７は、上記の判定を行う毎に、判定結果Ｚ２ｖａ、判定結果Ｚ２ｖおよび判定結果Ｚ２ａのいずれかを、制御部２５へ送信する。判定結果Ｚ２ｖａは、出力対象コンテンツに映像および音声の両方が含まれていることを示す。判定結果Ｚ２ｖは、出力対象コンテンツに映像のみが含まれていることを示す。判定結果Ｚ２ａは、出力対象コンテンツに音声のみが含まれていることを示す。
【００６３】
以下においては、判定結果Ｚ２ｖａ，Ｚ２ｖ，Ｚ２ａの各々を、総括的に、「判定結果Ｚ２」ともいう。
【００６４】
また、コンテンツ判定部１７は、ＡＶデコーダ１５から受信した出力対象コンテンツに基づき、出力対象コンテンツに付加情報が含まれているか否かを判定する。また、出力対象コンテンツに付加情報が含まれている場合、コンテンツ判定部１７は、当該付加情報が、表示部５０および表示部６０の両方が表示する必要がある情報、または、表示部５０および表示部６０の一方が表示する必要がある情報であるかを判定する。
【００６５】
出力対象コンテンツに付加情報が含まれている場合、コンテンツ判定部１７は、判定結果Ｚ２ｆａｂ，Ｚ２ｆａ，Ｚ２ｆｂのいずれかを、情報処理部１８へ送信する。判定結果Ｚ２ｆａｂは、付加情報が、表示部５０および表示部６０の両方が表示する必要がある情報であることを示す。判定結果Ｚ２ｆａは、付加情報が、表示部５０が表示する必要がある情報であることを示す。以下においては、表示部５０が表示する必要がある情報を、「表示必要情報ＪＡ」ともいう。
【００６６】
判定結果Ｚ２ｆｂは、付加情報が、表示部６０が表示する必要がある情報（前述の表示必要情報ＪＢ）であることを示す。また、以下においては、判定結果Ｚ２ｆａｂ，Ｚ２ｆａ，Ｚ２ｆｂの各々を、総括的に、「判定結果Ｚ２ｆ」ともいう。
【００６７】
情報処理部１８は、ネットワークデコード部１４から外部機器情報を受信したタイミングとほぼ同じタイミングに、表示情報判定部１６から判定結果Ｚ１ａｂを受信した場合、当該外部機器情報を、表示処理部２１Ｖｂおよび情報合成部２０へ送信する。
【００６８】
また、情報処理部１８は、ネットワークデコード部１４から外部機器情報を受信したタイミングとほぼ同じタイミングに、表示情報判定部１６から判定結果Ｚ１ａを受信した場合、当該外部機器情報を情報合成部２０へ送信する。
【００６９】
また、情報処理部１８は、ネットワークデコード部１４から外部機器情報を受信したタイミングとほぼ同じタイミングに、表示情報判定部１６から判定結果Ｚ１ｂを受信した場合、当該外部機器情報を、表示処理部２１Ｖｂへ送信する。
【００７０】
また、情報処理部１８は、ＡＶデコーダ１５から付加情報を受信したタイミングとほぼ同じタイミングに、コンテンツ判定部１７から判定結果Ｚ２ｆａｂを受信した場合、当該付加情報を、情報合成部２０および表示処理部２１Ｖｂへ送信する。
【００７１】
また、情報処理部１８は、ＡＶデコーダ１５から付加情報を受信したタイミングとほぼ同じタイミングに、コンテンツ判定部１７から判定結果Ｚ２ｆａを受信した場合、当該付加情報を、情報合成部２０へ送信する。
【００７２】
また、情報処理部１８は、ＡＶデコーダ１５から付加情報を受信したタイミングとほぼ同じタイミングに、コンテンツ判定部１７から判定結果Ｚ２ｆｂを受信した場合、当該付加情報を、表示処理部２１Ｖｂへ送信する。
【００７３】
情報合成部２０は、ビデオデコーダ１５Ｖから映像を受信し、かつ、当該映像を受信したタイミングとほぼ同じタイミングに、情報処理部１８から付加情報を受信した場合、合成処理Ｆを行う。合成処理Ｆでは、情報合成部２０が、受信した映像が付加情報を示すように、当該映像を変更する。そして、変更後の映像（合成映像）を、映像処理部２１Ｖａへ送信する。
【００７４】
また、情報合成部２０は、ビデオデコーダ１５Ｖから映像を受信し、かつ、当該映像を受信したタイミングとほぼ同じタイミングに、情報処理部１８から付加情報を受信していない場合、当該映像を映像処理部２１Ｖａへ送信する。
【００７５】
また、情報合成部２０は、映像生成部１５Ｇから仮映像を受信し、かつ、当該仮映像を受信したタイミングとほぼ同じタイミングに、情報処理部１８から付加情報を受信した場合、合成処理ＦＫを行う。合成処理ＦＫでは、情報合成部２０が、受信した仮映像が付加情報を示すように、当該仮映像を変更する。そして、変更後の仮映像（合成映像）を、表示部５０が表示するための映像として、映像処理部２１Ｖａへ送信する。
【００７６】
また、情報合成部２０は、映像生成部１５Ｇから仮映像を受信し、かつ、当該仮映像を受信したタイミングとほぼ同じタイミングに、情報処理部１８から外部機器情報を受信した場合、合成処理Ｘを行う。合成処理Ｘでは、情報合成部２０が、受信した仮映像が外部機器情報を示すように、当該仮映像を変更する。そして、変更後の仮映像（合成映像）を、表示部５０が表示するための映像として、映像処理部２１Ｖａへ送信する。
【００７７】
また、情報合成部２０は、映像生成部１５Ｇから仮映像を受信し、かつ、当該仮映像を受信したタイミングとほぼ同じタイミングに、情報処理部１８から外部機器情報を受信していない場合、当該仮映像を、表示部５０が表示するための映像として、映像処理部２１Ｖａへ送信する。
【００７８】
映像処理部２１Ｖａは、情報合成部２０から映像を受信した場合、映像表示処理を行う。映像表示処理では、映像処理部２１Ｖａが受信した映像を表示部５０が表示するように、当該映像処理部２１Ｖａは、表示部５０（表示デバイス５１、バックライト５２）を制御する。
【００７９】
なお、表示部５０が映像を表示する場合、バックライト５２は点灯する。なお、映像処理部２１Ｖａは、必要に応じて、当該映像の画質を補正する処理、スケーリング処理等を行う。
【００８０】
音声処理部２１Ａは、オーディオデコーダ１５Ａから音声を受信した場合、必要に応じて、音声補正処理を行う。音声補正処理では、必要に応じて、音声の音質を補正する処理、当該音声の音量を補正する処理、当該音声の音場を補正する処理等が行われる。そして、音声処理部２１Ａは、音声補正処理を行った音声、または、音声補正処理を行ってない音声を、音声アンプ２８へ送信する。
【００８１】
音声アンプ２８は、制御部２５からの制御に従って、受信した音声を、スピーカ３０から出力させるための処理を行う。当該処理では、例えば、音声の増幅処理が行われる。
【００８２】
また、表示処理部２１Ｖｂは、外部機器情報を受信した場合、外部機器情報表示処理を行う。外部機器情報表示処理では、表示処理部２１Ｖｂが、表示部６０が外部機器情報を表示するように、当該表示部６０（表示デバイス６１、バックライト６２）を制御する。なお、表示部６０が外部機器情報を表示する場合、バックライト６２は点灯する。
【００８３】
なお、表示処理部２１Ｖｂは、必要に応じて、当該外部機器情報を表示するための画質を補正する処理、スケーリング処理等を行う。当該処理は、例えば、テレビジョン受像機１００の初期設定、ユーザにより選択された設定等に従って行われる。
【００８４】
また、表示処理部２１Ｖｂは、付加情報を受信した場合、付加情報表示処理を行う。付加情報表示処理では、表示処理部２１Ｖｂが、表示部６０が付加情報を表示するように、当該表示部６０（表示デバイス６１、バックライト６２）を制御する。なお、表示部６０が付加情報を表示する場合、バックライト６２は点灯する。
【００８５】
なお、表示処理部２１Ｖｂは、必要に応じて、当該付加情報を表示するための画質を補正する処理、スケーリング処理等を行う。当該処理は、例えば、テレビジョン受像機１００の初期設定、ユーザにより選択された設定等に従って行われる。
【００８６】
以上のような構成により、付加情報は、表示部５０および表示部６０の両方または一方で表示される。なお、出力対象コンテンツに付加情報が含まれない場合、付加情報は、表示部５０および表示部６０で表示されない。
【００８７】
また、外部機器情報は、表示部５０および表示部６０の両方または一方で表示される。なお、外部機器２００から外部機器情報が提供されない場合、外部機器情報は、表示部５０および表示部６０で表示されない。
【００８８】
制御部２５は、表示処理部２１Ｖｂ、映像処理部２１Ｖａ、表示部５０，６０、音声アンプ２８等を制御する。例えば、制御部２５は、判定結果Ｚ１、判定結果ＺＢおよび判定結果Ｚ２の少なくとも１つに基づいて、表示部５０，６０を制御する。すなわち、制御部２５は、判定結果Ｚ１、判定結果ＺＢおよび判定結果Ｚ２の少なくとも１つに基づいて、表示デバイス５１，６１、バックライト５２，６２を制御する。
【００８９】
次に、表示情報判定部１６の判定結果Ｚ１、コンテンツ判定部１７の判定結果Ｚ２の組み合わせにより発生する、以下の状況ＳＴ１〜状況ＳＴ８における処理について説明する。
【００９０】
状況ＳＴ１は、出力対象コンテンツに映像および音声が含まれており、かつ、テレビジョン受像機１００が外部機器情報を受信している状況である。
【００９１】
状況ＳＴ２は、出力対象コンテンツに映像および音声が含まれており、かつ、テレビジョン受像機１００が外部機器情報を受信していない状況である。
【００９２】
状況ＳＴ３は、出力対象コンテンツに映像が含まれており、かつ、当該出力対象コンテンツに音声が含まれてなく、かつ、テレビジョン受像機１００が外部機器情報を受信している状況である。
【００９３】
状況ＳＴ４は、出力対象コンテンツに映像が含まれており、かつ、当該出力対象コンテンツに音声が含まれてなく、かつ、テレビジョン受像機１００が外部機器情報を受信していない状況である。
【００９４】
状況ＳＴ５は、出力対象コンテンツに映像が含まれてなく、かつ、当該出力対象コンテンツに音声が含まれており、かつ、テレビジョン受像機１００が外部機器情報を受信している状況である。
【００９５】
状況ＳＴ６は、出力対象コンテンツに映像が含まれてなく、かつ、当該出力対象コンテンツに音声が含まれており、かつ、テレビジョン受像機１００が外部機器情報を受信していない状況である。
【００９６】
状況ＳＴ７は、出力対象コンテンツに映像および音声が含まれてなく、かつ、テレビジョン受像機１００が外部機器情報を受信している状況である。
【００９７】
状況ＳＴ８は、出力対象コンテンツに映像および音声が含まれてなく、かつ、テレビジョン受像機１００が外部機器情報を受信していない状況である。
【００９８】
まず、状況ＳＴ１における処理について説明する。前述したように、状況ＳＴ１は、出力対象コンテンツに映像および音声が含まれており、かつ、テレビジョン受像機１００が外部機器情報を受信している状況である。
【００９９】
状況ＳＴ１では、外部機器情報が、表示部６０が表示する必要がある情報（前述の表示必要情報ＪＢ）である場合、情報処理部１８、表示処理部２１Ｖｂ、表示部６０等による前述の動作により、表示部６０は外部機器情報を表示する。また、情報合成部２０、映像処理部２１Ｖａ、表示部５０等による前述の動作により、表示部５０は映像を表示する。
【０１００】
なお、外部機器情報が、表示部５０が表示する必要がある情報（前述の表示必要情報ＪＡ）である場合、情報処理部１８、情報合成部２０、映像処理部２１Ｖａ、表示部５０等による前述の動作により、表示部５０は映像とともに外部機器情報も表示する。
【０１０１】
また、状況ＳＴ１では、出力対象コンテンツに付加情報が含まれており、かつ、当該付加情報が表示必要情報ＪＢである場合、情報処理部１８、表示処理部２１Ｖｂ、表示部６０等による前述の動作により、表示部６０は付加情報を表示する。また、状況ＳＴ１では、出力対象コンテンツに付加情報が含まれており、かつ、当該付加情報が表示必要情報ＪＡである場合、情報処理部１８、情報合成部２０、映像処理部２１Ｖａ、表示部５０等による前述の動作により、表示部５０は映像とともに付加情報を表示する。
【０１０２】
また、状況ＳＴ１では、音声処理部２１Ａ、音声アンプ２８、スピーカ３０による前述の動作により、スピーカ３０が音声を出力する。
【０１０３】
次に、状況ＳＴ２における処理について説明する。前述したように、状況ＳＴ２は、出力対象コンテンツに映像および音声が含まれており、かつ、テレビジョン受像機１００が外部機器情報を受信していない状況である。
【０１０４】
状況ＳＴ２では、情報合成部２０、映像処理部２１Ｖａ、表示部５０等による前述の動作により、表示部５０は映像を表示する。また、状況ＳＴ２では、音声処理部２１Ａ、音声アンプ２８、スピーカ３０による前述の動作により、スピーカ３０が当該音声を出力する。
【０１０５】
また、状況ＳＴ２では、出力対象コンテンツに付加情報が含まれており、かつ、当該付加情報が表示必要情報ＪＢである場合、情報処理部１８、表示処理部２１Ｖｂ、表示部６０等による前述の動作により、表示部６０は付加情報を表示する。また、状況ＳＴ２では、出力対象コンテンツに付加情報が含まれており、かつ、当該付加情報が表示必要情報ＪＡである場合、情報処理部１８、情報合成部２０、映像処理部２１Ｖａ、表示部５０等による前述の動作により、表示部５０は映像とともに付加情報を表示する。
【０１０６】
次に、状況ＳＴ３における処理について説明する。前述したように、状況ＳＴ３は、出力対象コンテンツに映像が含まれており、かつ、当該出力対象コンテンツに音声が含まれてなく、かつ、テレビジョン受像機１００が外部機器情報を受信している状況である。
【０１０７】
状況ＳＴ３では、外部機器情報が表示必要情報ＪＢである場合、情報処理部１８、表示処理部２１Ｖｂ、表示部６０等による前述の動作により、表示部６０は外部機器情報を表示する。また、情報合成部２０、映像処理部２１Ｖａ、表示部５０等による前述の動作により、表示部５０は映像を表示する。
【０１０８】
なお、状況ＳＴ３では、外部機器情報が表示必要情報ＪＡである場合、情報処理部１８、情報合成部２０、映像処理部２１Ｖａ、表示部５０等による前述の動作により、表示部５０は、当該映像とともに外部機器情報も表示する。
【０１０９】
また、状況ＳＴ３では、出力対象コンテンツに付加情報が含まれており、かつ、当該付加情報が表示必要情報ＪＢである場合、情報処理部１８、表示処理部２１Ｖｂ、表示部６０等による前述の動作により、表示部６０は付加情報を表示する。また、状況ＳＴ３では、出力対象コンテンツに付加情報が含まれており、かつ、当該付加情報が表示必要情報ＪＡである場合、情報処理部１８、情報合成部２０、映像処理部２１Ｖａ、表示部５０等による前述の動作により、表示部５０は映像とともに付加情報を表示する。
【０１１０】
次に、状況ＳＴ４における処理について説明する。前述したように、状況ＳＴ４は、出力対象コンテンツに映像が含まれており、かつ、当該出力対象コンテンツに音声が含まれてなく、かつ、テレビジョン受像機１００が外部機器情報を受信していない状況である。
【０１１１】
状況ＳＴ４では、情報合成部２０、映像処理部２１Ｖａ、表示部５０等による前述の動作により、表示部５０は映像を表示する。
【０１１２】
また、状況ＳＴ４では、出力対象コンテンツに付加情報が含まれており、かつ、当該付加情報が表示必要情報ＪＢである場合、情報処理部１８、表示処理部２１Ｖｂ、表示部６０等による前述の動作により、表示部６０は付加情報を表示する。また、状況ＳＴ４では、出力対象コンテンツに付加情報が含まれており、かつ、当該付加情報が表示必要情報ＪＡである場合、情報処理部１８、情報合成部２０、映像処理部２１Ｖａ、表示部５０等による前述の動作により、表示部５０は映像とともに付加情報を表示する。
【０１１３】
次に、状況ＳＴ５における処理について説明する。前述したように、状況ＳＴ５は、出力対象コンテンツに映像が含まれてなく、かつ、当該出力対象コンテンツに音声が含まれており、かつ、テレビジョン受像機１００が外部機器情報を受信している状況である。
【０１１４】
状況ＳＴ５では、外部機器情報が表示必要情報ＪＢである場合、情報処理部１８、表示処理部２１Ｖｂ、表示部６０等による前述の動作により、表示部６０は外部機器情報を表示する。
【０１１５】
また、状況ＳＴ５では、外部機器情報が表示必要情報ＪＡである場合、映像生成部１５Ｇ、情報処理部１８、情報合成部２０、映像処理部２１Ｖａ、表示部５０等による前述の動作により、表示部５０は、仮映像とともに外部機器情報を表示する。なお、仮映像を表示しない設定が行われている場合、表示部５０は、仮映像を表示しない。仮映像を表示しない設定は、テレビジョン受像機１００の初期設定、ユーザによる設定等である。
【０１１６】
また、状況ＳＴ５では、映像生成部１５Ｇ、情報処理部１８、情報合成部２０、映像処理部２１Ｖａ、表示部５０等による前述の動作により、表示部５０は、仮映像を表示する。なお、仮映像を表示しない設定が行われている場合、表示部５０は、仮映像を表示しない。また、音声処理部２１Ａ、音声アンプ２８、スピーカ３０による前述の動作により、スピーカ３０が当該音声を出力する。
【０１１７】
また、状況ＳＴ５では、出力対象コンテンツに付加情報が含まれており、かつ、当該付加情報が表示必要情報ＪＢである場合、情報処理部１８、表示処理部２１Ｖｂ、表示部６０等による前述の動作により、表示部６０は付加情報を表示する。また、状況ＳＴ５では、出力対象コンテンツに付加情報が含まれており、かつ、当該付加情報が表示必要情報ＪＡである場合、情報処理部１８、情報合成部２０、映像処理部２１Ｖａ、表示部５０等による前述の動作により、表示部５０は仮映像とともに付加情報を表示する。なお、仮映像を表示しない設定が行われている場合、表示部５０は、仮映像を表示しない。
【０１１８】
次に、状況ＳＴ６における処理について説明する。前述したように、状況ＳＴ６は、出力対象コンテンツに映像が含まれてなく、かつ、当該出力対象コンテンツに音声が含まれており、かつ、テレビジョン受像機１００が外部機器情報を受信していない状況である。
【０１１９】
状況ＳＴ６では、映像生成部１５Ｇ、情報処理部１８、情報合成部２０、映像処理部２１Ｖａ、表示部５０等による前述の動作により、表示部５０は、仮映像を表示する。なお、仮映像を表示しない設定が行われている場合、表示部５０は、仮映像を表示しない。
【０１２０】
また、状況ＳＴ６では、音声処理部２１Ａ、音声アンプ２８、スピーカ３０による前述の動作により、スピーカ３０が当該音声を出力する。
【０１２１】
また、状況ＳＴ６では、出力対象コンテンツに付加情報が含まれており、かつ、当該付加情報が表示必要情報ＪＢである場合、情報処理部１８、表示処理部２１Ｖｂ、表示部６０等による前述の動作により、表示部６０は付加情報を表示する。また、状況ＳＴ６では、出力対象コンテンツに付加情報が含まれており、かつ、当該付加情報が表示必要情報ＪＡである場合、情報処理部１８、情報合成部２０、映像処理部２１Ｖａ、表示部５０等による前述の動作により、表示部５０は仮映像とともに付加情報を表示する。なお、仮映像を表示しない設定が行われている場合、表示部５０は、仮映像を表示しない。
【０１２２】
次に、状況ＳＴ７における処理について説明する。前述したように、状況ＳＴ７は、出力対象コンテンツに映像および音声が含まれてなく、かつ、テレビジョン受像機１００が外部機器情報を受信している状況である。
【０１２３】
状況ＳＴ７では、外部機器情報が表示必要情報ＪＢである場合、情報処理部１８、表示処理部２１Ｖｂ、表示部６０等による前述の動作により、表示部６０は外部機器情報を表示する。外部機器情報が表示必要情報ＪＡである場合、映像生成部１５Ｇ、情報処理部１８、情報合成部２０、映像処理部２１Ｖａ、表示部５０等による前述の動作により、表示部５０は、仮映像とともに外部機器情報を表示する。なお、仮映像を表示しない設定が行われている場合、表示部５０は、仮映像を表示しない。
【０１２４】
また、状況ＳＴ７では、出力対象コンテンツに付加情報が含まれており、かつ、当該付加情報が表示必要情報ＪＢである場合、情報処理部１８、表示処理部２１Ｖｂ、表示部６０等による前述の動作により、表示部６０は付加情報を表示する。また、状況ＳＴ７では、出力対象コンテンツに付加情報が含まれており、かつ、当該付加情報が表示必要情報ＪＡである場合、情報処理部１８、情報合成部２０、映像処理部２１Ｖａ、表示部５０等による前述の動作により、表示部５０は仮映像とともに付加情報を表示する。なお、仮映像を表示しない設定が行われている場合、表示部５０は、仮映像を表示しない。
【０１２５】
次に、状況ＳＴ８における処理について説明する。前述したように、状況ＳＴ８は、出力対象コンテンツに映像および音声が含まれてなく、かつ、テレビジョン受像機１００が外部機器情報を受信していない状況である。
【０１２６】
状況ＳＴ８では、映像生成部１５Ｇ、情報処理部１８、情報合成部２０、映像処理部２１Ｖａ、表示部５０等による前述の動作により、表示部５０は、仮映像を表示する。なお、仮映像を表示しない設定が行われている場合、表示部５０は、仮映像を表示しない。
【０１２７】
また、状況ＳＴ８では、出力対象コンテンツに付加情報が含まれており、かつ、当該付加情報が表示必要情報ＪＢである場合、情報処理部１８、表示処理部２１Ｖｂ、表示部６０等による前述の動作により、表示部６０は付加情報を表示する。また、状況ＳＴ８では、出力対象コンテンツに付加情報が含まれており、かつ、当該付加情報が表示必要情報ＪＡである場合、情報処理部１８、情報合成部２０、映像処理部２１Ｖａ、表示部５０等による前述の動作により、表示部５０は仮映像とともに付加情報を表示する。なお、仮映像を表示しない設定が行われている場合、表示部５０は、仮映像を表示しない。
【０１２８】
次に、テレビジョン受像機１００の消費電力を抑えつつ、外部機器情報が変化した場合における処理（以下、「情報表示制御処理」ともいう）について説明する。図３は、本発明の実施の形態１に係る情報表示制御処理のフローチャートである。
【０１２９】
ここで、以下の前提Ａ１を考慮する。前提Ａ１では、前述の状況ＳＴ５〜状況ＳＴ７のいずれかが生じている。また、前提Ａ１では、テレビジョン受像機１００の動作モードは、前述した自動低消費電力モードである。また、前提Ａ１では、出力対象コンテンツが映像を含まない。また、前提Ａ１では、コンテンツ判定部１７が、ＡＶデコーダ１５から出力対象コンテンツを受信する。
【０１３０】
また、前提Ａ１では、外部機器２００からテレビジョン受像機１００に外部機器情報が提供されており、表示部６０が当該外部機器情報をすでに表示している。また、前提Ａ１では、表示部６０の表示対象の外部機器情報が変化する。具体的には、前提Ａ１では、表示部６０が表示中の表示情報（表示対象情報ＸＢ）が示す内容と異なる内容を示す表示対象情報ＸＢａが、外部機器２００から提供される。これにより、前提Ａ１では、ネットワークデコード部１４は、表示対象情報ＸＢａである外部機器情報を情報判定部４０へ送信する。
【０１３１】
次に、前提Ａ１における情報表示制御処理について説明する。情報表示制御処理では、まず、ステップＳ１１０の処理が行われる。
【０１３２】
ステップＳ１１０では、コンテンツ判定部１７が、出力対象コンテンツが映像を含むか否かを判定する。ステップＳ１１０においてＹＥＳならば、処理は後述のステップＳ１４０へ移行する。一方、ステップＳ１１０においてＮＯならば、処理はステップＳ１２０へ移行する。前提Ａ１では、出力対象コンテンツが映像を含まないため、処理はステップＳ１２０へ移行する。
【０１３３】
ステップＳ１２０では、制御部２５が、テレビジョン受像機１００の動作モードが前述の自動低消費電力モードであるか否かを判定する。ステップＳ１２０においてＹＥＳならば処理はステップＳ１３０へ移行する。一方、ステップＳ１２０においてＮＯならば、処理は、後述のステップＳ１４０へ移行する。前提Ａ１では、テレビジョン受像機１００の動作モードは、前述した自動低消費電力モードであるため、処理はステップＳ１３０へ移行する。
【０１３４】
ステップＳ１３０では、制御部２５が消費電力低減処理を行う。消費電力低減処理は、出力対象コンテンツが映像を含まない場合に行われる。消費電力低減処理は、制御部２５が、表示部５０の消費電力が、前述の消費電力ＮＰより小さくなるよう当該表示部５０を制御する処理である。
【０１３５】
具体的には、消費電力低減処理では、まず、制御部２５が、テレビジョン受像機１００の動作モードを、低消費電力モードに設定する。
【０１３６】
そして、制御部２５が、表示部５０の消費電力を低減するための処理（以下、「処理Ｌ」ともいう）を行う。処理Ｌは、例えば、制御部２５が、バックライト５２を消灯させる処理である。また、処理Ｌは、例えば、制御部２５が、バックライト５２が出射する光の輝度が低下するように、バックライト５２を制御する処理である。なお、処理Ｌは、表示部５０の消費電力が低減する処理であれば、上記以外の処理であってもよい。
【０１３７】
ステップＳ１４０では、外部機器情報の変化があるか否かが判定される。具体的には、情報判定部４０が、表示部６０が表示中の表示情報（表示対象情報ＸＢ）が示す内容と異なる内容を示す表示対象情報ＸＢａが、外部機器２００から提供されたか否かを判定する。すなわち、情報判定部４０が、ネットワークデコード部１４から表示対象情報ＸＢａを受信したか否かを判定する。
【０１３８】
ステップＳ１４０においてＹＥＳならば処理はステップＳ１４１へ移行する。ステップＳ１４０においてＮＯならば、再度、ステップＳ１４０の処理が行われる。前提Ａ１では、表示部６０が表示中の表示情報（表示対象情報ＸＢ）が示す内容と異なる内容を示す表示対象情報ＸＢａが、外部機器２００から提供される。すなわち、前提Ａ１では、ネットワークデコード部１４が、表示対象情報ＸＢａである外部機器情報を情報判定部４０へ送信する。そのため、処理はステップＳ１４１へ移行する。
【０１３９】
ステップＳ１４１では、制御部２５が表示態様変化処理を行う。表示態様変化処理では、表示部６０が表示中の表示情報（表示対象情報ＸＢ）の表示態様と異なる表示態様で表示対象情報ＸＢａを表示するように、表示部６０を制御する処理である。すなわち、表示態様変化処理は、外部機器情報の変化をユーザが識別しやすくするための処理である。
【０１４０】
具体的には、表示態様変化処理では、制御部２５が、外部機器情報の変化をユーザが識別しやすくするように、表示部６０に表示対象情報ＸＢａを表示させる処理（以下、「処理ＳＡ」ともいう）を行う。ここで、表示対象情報ＸＢａは、例えば、図４のように、「エラーが発生しました。」という文字列で構成される情報であるとする。
【０１４１】
処理ＳＡは、例えば、制御部２５が、表示部６０が表示情報（表示対象情報ＸＢ）が示す色（例えば、黒）と異なる色（例えば、赤）で表現される表示対象情報ＸＢａを表示するように、当該表示部６０を制御する処理である。これにより、表示部６０は、表示情報（表示対象情報ＸＢ）が示す色と異なる色で表現される表示対象情報ＸＢａを表示する。
【０１４２】
また、処理ＳＡは、例えば、制御部２５が、表示部６０が表示情報（表示対象情報ＸＢ）の表示のためのコントラストと異なるコントラストで表現される表示対象情報ＸＢａを表示するように、当該表示部６０を制御する処理である。当該処理は、例えば、制御部２５が、表示情報（表示対象情報ＸＢ）の表示に使用される光の輝度が、表示対象情報ＸＢａの表示に使用される光の輝度より、徐々に大きくなるように、バックライト６２を制御する処理である。この処理により、バックライト６２が出射する光の輝度が緩やかに変化する。これにより、表示部６０は、表示情報（表示対象情報ＸＢ）の表示のためのコントラストと異なるコントラストで表現される表示対象情報ＸＢａを表示する。
【０１４３】
また、処理ＳＡは、例えば、制御部２５が、表示部６０が表示対象情報ＸＢａを点滅して表示するように、当該表示部６０を制御する処理である。
【０１４４】
また、処理ＳＡは、表示部６０が表示情報（表示対象情報ＸＢ）の色度と異なる色度で表現される表示対象情報ＸＢａを表示するように、当該表示部６０を制御する処理である。
【０１４５】
なお、処理ＳＡは、上記処理に限定されず、外部機器情報の変化をユーザが識別しやすく（気づきやすく）するための処理であれば、上記以外の他の処理であってもよい。
【０１４６】
以上のように、前提Ａ１における情報表示制御処理では、出力対象コンテンツが映像を含まず、かつ、外部機器２００から表示対象情報ＸＢａが提供された場合、制御部２５は、消費電力低減処理（Ｓ１３０）および表示態様変化処理（Ｓ１４１）を行う。
【０１４７】
以上説明したように、本実施の形態によれば、情報判定部４０は、表示部６０が表示している情報である表示情報と異なる情報であって、かつ、当該表示部６０が表示する必要がある情報である表示対象情報ＸＢａが外部機器２００から提供されたか否かを判定する。制御部２５は、出力対象のコンテンツが映像を含まず、かつ、表示対象情報ＸＢａが提供された場合、消費電力低減処理（Ｓ１３０）および表示態様変化処理（Ｓ１４１）を行う。
【０１４８】
消費電力低減処理は、表示部５０の消費電力が、当該表示部５０が映像を表示するときにおける当該表示部５０の基準となる消費電力ＮＰより小さくなるよう当該表示部５０を制御する処理である。表示態様変化処理は、表示情報の表示態様と異なる表示態様で表示対象情報ＸＢａを表示するように、表示部６０を制御する処理である。
【０１４９】
これにより、テレビジョン受像機１００の消費電力を抑えつつ、外部機器２００から提供される情報の変化を識別しやすくすることができる。すなわち、テレビジョン受像機１００の消費電力を抑えつつ、外部機器２００から提供される情報の変化を、ユーザに識別しやすく（気づきやすく）することができる。
【０１５０】
また、本実施の形態によれば、出力対象コンテンツが映像を含まず、かつ、外部機器情報（付加情報）を確認する必要がある場合、表示部５０のかわりに表示部６０が外部機器情報（付加情報）を表示する。これにより、表示部５０で外部機器情報（付加情報）を表示する構成よりも、テレビジョン受像機１００の消費電力を低下させるとともに、ユーザは外部機器情報（付加情報）を表示部６０で確認することが可能となる。したがって、ユーザの利便性を犠牲にすることなく、テレビジョン受像機１００の消費電力を低減することが可能となる。
【０１５１】
なお、関連技術Ａ，Ｂでは、表示部を機能停止させる。そのため、コンテンツの再生時間、トラック番号、タイトル名等の情報を、ユーザに提供する場合、または、外部機器からの情報を表示する場合、表示部を動作させる必要がある。そのため、関連技術Ａ，Ｂでは、表示部の機能停止による消費電力の低減の効果を十分に享受出来ないという問題点がある。
【０１５２】
そこで、本実施の形態は上記のように構成されるため、上記の問題点を解決することができる。
【０１５３】
なお、表示部６０では、バックライト６２を消灯させて、反射型液晶パネルとして動作させてもよい。これにより、表示部６０の消費電力を低減させ、且つ、情報（外部機器情報、付加情報）をユーザに提供することができる。
【０１５４】
（その他の変形例）
以上、本発明に係るテレビジョン受像機について、実施の形態に基づいて説明したが、本発明は、これら実施の形態に限定されるものではない。本発明の主旨を逸脱しない範囲内で、当業者が思いつく変形を本実施の形態に施したものも、本発明に含まれる。つまり、本発明は、その発明の範囲内において、実施の形態を適宜、変形、省略することが可能である。
【０１５５】
また、テレビジョン受像機１００は、図２に示される全ての構成要素を含まなくてもよい。すなわち、テレビジョン受像機１００は、本発明の効果を実現できる最小限の構成要素のみを含めばよい。例えば、テレビジョン受像機１００はディスク装置７０を備えず、当該ディスク装置７０がテレビジョン受像機１００と接続される構成としてもよい。また、例えば、テレビジョン受像機１００は、表示情報判定部１６、コンテンツ判定部１７および情報処理部１８を備えない構成としてもよい。当該構成では、制御部２５が、表示情報判定部１６、コンテンツ判定部１７および情報処理部１８が行う処理もさらに行う。
【０１５６】
なお、テレビジョン受像機１００の各構成要素の全てまたは一部を、ハードウエアで示した構成は、例えば、以下のようになる。以下においては、テレビジョン受像機１００の各構成要素の全てまたは一部を、ハードウエアで示したテレビジョン受像機を、「テレビジョン受像機ｈｄ１０」ともいう。
【０１５７】
図５は、テレビジョン受像機ｈｄ１０のハードウエア構成図である。図５を参照して、テレビジョン受像機ｈｄ１０は、プロセッサｈｄ１と、メモリｈｄ２と、モニタｈｄ３と、モニタｈｄ４とを備える。
【０１５８】
図２の表示部５０は、モニタｈｄ３である。また、図２の表示部６０は、モニタｈｄ４である。
【０１５９】
図２の制御部２５は、プロセッサｈｄ１がメモリｈｄ２等に記憶されたソフトウェアのプログラムに従って各種処理を行うことにより実現される。また、図２の情報判定部４０は、プロセッサｈｄ１がメモリｈｄ２等に記憶されたソフトウェアのプログラムに従って各種処理を行うことにより実現される。すなわち、図２の制御部２５および情報判定部４０の各々は、プロセッサｈｄ１が、メモリｈｄ２等に記憶されたプログラムを実行することにより、当該プロセッサｈｄ１の機能として実現される。なお、当該各機能は、例えば、複数のプロセッサｈｄ１が連携して各種処理を行うことにより実現されてもよい。
【０１６０】
なお、前述したように、制御部２５および情報判定部４０の全てまたは一部は、上記の各種処理を行う、ハードウエアの電気回路で構成される信号処理回路で構成されてもよい。また、ソフトウェアで実現される制御部２５および情報判定部４０と、ハードウエアの制御部２５および情報判定部４０とを合わせた概念を考慮して、制御部２５および情報判定部４０における用語「部」を、用語「処理回路」に置き換えてもよい。
【０１６１】
また、本発明は、テレビジョン受像機１００が備える特徴的な構成部の動作をステップとする表示制御方法として実現してもよい。また、本発明は、そのような表示制御方法に含まれる各ステップをコンピュータに実行させるプログラムとして実現してもよい。また、本発明は、そのようなプログラムを格納するコンピュータ読み取り可能な記録媒体として実現されてもよい。また、当該プログラムは、インターネット等の伝送媒体を介して配信されてもよい。
【０１６２】
また、本発明に係る表示制御方法は、図３の処理の一部または全てに相当する。本発明に係る表示制御方法は、図３における、対応する全てのステップを必ずしも含む必要はない。すなわち、本発明に係る表示制御方法は、本発明の効果を実現できる最小限のステップのみを含めばよい。
【０１６３】
また、表示制御方法における各ステップの実行される順序は、本発明を具体的に説明するための一例であり、上記以外の順序であってもよい。また、表示制御方法におけるステップの一部と、他のステップとは、互いに独立して並列に実行されてもよい。
【０１６４】
上記実施の形態で用いた全ての数値は、本発明を具体的に説明するための一例の数値である。すなわち、本発明は、上記実施の形態で用いた各数値に制限されない。
【０１６５】
なお、本発明は、その発明の範囲内において、実施の形態を適宜、変形、省略することが可能である。
【符号の説明】
【０１６６】
２５  制御部、４０  情報判定部、５０，６０  表示部、７０  ディスク装置、２００  外部機器、ｈｄ１０，１００  テレビジョン受像機。
【図１】
2016167730.tif 000003
【図２】
2016167730.tif 000004
【図３】
2016167730.tif 000005
【図４】
2016167730.tif 000006
【図５】
2016167730.tif 000007